(57)【要約】【課題】  簡単な構成により、容易にアンテナの角度調整を行なうことができるようにした無線ＬＡＮ指向性アンテナの角度調整装置および調整方法を提供する。【解決手段】  水平方向に回転可能に支持された無線ＬＡＮ指向性アンテナ１１からの受信信号から電界強度を検出する検出部１３と、上記検出部で検出された電界強度を、当該電界強度に対応する周波数の音声信号に変換する変換部１４と、上記変換部で変換された音声信号を音声に変換するスピーカ１６と、上記指向性アンテナの水平方向の角度を調整する調整部２０と、を含んでおり、スピーカからの音声の音程が最も高くまたは最も低くなるように、調整部２０により指向性アンテナの水平方向の角度を調整するように、無線ＬＡＮ指向性アンテナの角度調整装置１０を構成する。【選択図】        図３
2005102013.tif 000002
【特許請求の範囲】
【請求項１】
水平方向に回転可能に支持された無線ＬＡＮ指向性アンテナからの受信信号から電界強度を検出する検出部と、
上記検出部で検出された電界強度を、当該電界強度に対応する周波数の音声信号に変換する変換部と、
上記変換部で変換された音声信号を音声に変換するスピーカと、
上記指向性アンテナの水平方向の角度を調整する調整部とを具備し、
上記スピーカからの音声に基づいて、上記調整部により指向性アンテナが角度調整されることを特徴とする、無線ＬＡＮ指向性アンテナの角度調整装置。
【請求項２】
上記検出部が、無線ＬＡＮのＲＳＳＩ出力からの出力電圧を検出することを特徴とする請求項１に記載の無線ＬＡＮ指向性アンテナの角度調整装置。
【請求項３】
上記検出部が、ＩＳＭバンドＲＦレベルメータであって、電界強度を検出することにより、電界強度計信号を出力することを特徴とする請求項１に記載の無線ＬＡＮ指向性アンテナの角度調整装置。
【請求項４】
上記変換部が、上記検出部からの検出信号に基づいて、Ｖ／Ｆ変換を行なうことにより、音声信号を生成することを特徴とする請求項１〜３のいずれかに記載の無線ＬＡＮ指向性アンテナの角度調整装置。
【請求項５】
上記変換部が、検出部からの検出信号の電圧が高くなるにつれて高い周波数の音声信号を生成することを特徴とする請求項１から４のいずれかに記載の無線ＬＡＮ指向性アンテナの角度調整装置。
【請求項６】
上記変換部が、検出部からの検出信号の電圧が高くなるにつれて低い周波数の音声信号を生成することを特徴とする請求項１から４のいずれかに記載の無線ＬＡＮ指向性アンテナの角度調整装置。
【請求項７】
水平方向に回転可能に支持された無線ＬＡＮ指向性アンテナにより対向側の送信アンテナからの送信信号を受信して、
上記指向性アンテナで受信した受信信号から電界強度を検出して、
検出した電界強度を、当該電界強度に対応する周波数の音声信号に変換して、
この音声信号をスピーカにより音声に変換して、
スピーカからの音声に基づいて、この音声の音程が最も高くまたは最も低くなるように、調整部により指向性アンテナの水平方向の角度を調整する
ことを特徴とする無線ＬＡＮ指向性アンテナの角度調整方法。
【発明の詳細な説明】
【技術分野】
【０００１】
本発明は、無線ＬＡＮにおける信号の送受信を行なうための指向性アンテナの水平方向の角度調整のための技術に関する。
【背景技術】
【０００２】
従来、このような無線ＬＡＮにおける信号の送受信を行なうための指向性アンテナ（以下、無線ＬＡＮ指向性アンテナという）は、水平方向に関して指向性を有していることから、アンテナ設置の際に、対向側のアンテナに対して送受信感度が最大である方向を合わせる角度調整の作業が必要である。
【０００３】
このような角度調整作業は、一般に無線ＬＡＮ指向性アンテナの水平な軸方向を手作業で適宜に調整しながら、対向側のアンテナからの電波による電界強度の受信レベルを受信装置のレベルメータを目視するという試行錯誤を繰り返して、最大受信レベルの角度方向に無線ＬＡＮ指向性アンテナの軸方向を設定して、当該アンテナを固定保持するようにしている。
【０００４】
また、無線ＬＡＮ指向性アンテナ自体に角度調整装置を取り付けて、当該アンテナの水平な軸方向の角度調整を行なって、同様に受信レベルをレベルメータにより目視して、試行錯誤により最大受信レベルの角度方向に無線ＬＡＮ指向性アンテナの軸方向を設定する方法もある。
【０００５】
しかしながら、上述した方法においては、何れも対向側のアンテナからの電波による電界強度の受信レベルを、受信装置のレベルメータを目視することにより確認するという原始的な作業に基づいており、試行錯誤により調整作業が長くなってしまう。
そして、作業者の勘に頼る部分が大きいことから、誤差が比較的大きくなってしまうので、無線ＬＡＮ指向性アンテナの正確な角度設定を行なうことが実質的に困難である。
【０００６】
また、当該アンテナを高所に設置する場合には、アンテナの角度調整を行なう場所と、受信装置のレベルメータを目視する場所が離れてしまうため、アンテナを種々の角度に調整したり、例えばアンテナに糸等を張って角度を確認する作業は手間がかかってしまい、調整作業自体が煩雑で多大な時間を要する。
さらに、レーザ光による角度調整方法も考えられるが、手が届かないような高所でのアンテナ設置の場合には、角度調整作業の後、調整装置を取り外すことが困難になり、場合によっては調整装置を取り外すことができなくなってしまう。
【０００７】
これに対して、例えば特許文献１においては、アンテナ方向調整機能付き受信装置が開示されている。
この構成によれば、いわゆるＢＳ放送受信用のパラボラアンテナに関して、受信信号のレベルに基づいて低周波信号を発生させて、この低周波信号により音声を発生させることにより、調整前後に応じて音声を変化させて、アンテナ方向の調整状態を確認することができるようになっている。
【０００８】
また、特許文献２においては、無線受信装置のアンテナ方向調整方法が開示されている。
この構成によれば、アンテナによる受信信号の受信レベルに対応した大きさの音声を発生させて、この音声が最大となるようにアンテナの方向を調整するようになっている。
【０００９】
さらに、特許文献３においては、受信信号のＡＧＣ電圧を周波数変換して、受信レベルに対応した周波数の音声を出力するようにしたＢＳチューナが開示されている。
この構成によれば、発生される音声の周波数に基づいて、アンテナの受信状態即ちアンテナの調整方向を確認することができるようになっている。
【特許文献１】実開平０６−０５８６２５号公報
【特許文献２】特開２００１−０７７６１４号公報
【特許文献３】特開平０２−１６６８３９号公報
【発明の開示】
【発明が解決しようとする課題】
【００１０】
しかしながら、上述した特許文献１は、ＢＳパラボラアンテナについての方向調整前後に応じて、音声を変化させることにより、アンテナ方向の調整状態を確認するものであり、角度調整を行なうようには構成されておらず、また無線ＬＡＮ指向性アンテナの角度調整を行なうものでもない。
【００１１】
また、上述した特許文献２は、音声が最大となるよう、アンテナ方向を調整することにより、アンテナを最適方向に角度設定することができるが、微調整を行なう場合には、音声の音量を聞き分けることが困難であり、正確な方向の調整を行なうことは困難であった。
【００１２】
さらに、上述した特許文献３は、ＢＳアンテナで受信した電波によるＡＧＣ電圧の変化を利用して、ＶＣＯにより可聴周波数を発生させて、アンテナ方向の調整状態を音声の周波数により確認しながら、アンテナ方向の調整を行なうものであり、ＡＧＣ電圧を扱わない無線ＬＡＮの指向性アンテナの角度調整に応用することはできない。
【００１３】
本発明は、上記の問題を解決すべくなされたものであり、簡単な構成により、容易にアンテナの角度調整を行なうことができるようにした無線ＬＡＮ指向性アンテナの角度調整装置および調整方法の提供を目的とする。
【課題を解決するための手段】
【００１４】
この目的を達成するため、本発明の請求項１記載の無線ＬＡＮ指向性アンテナの角度調整装置は、水平方向に回転可能に支持された無線ＬＡＮ指向性アンテナからの受信信号から電界強度を検出する検出部と、上記検出部で検出された電界強度を、当該電界強度に対応する周波数の音声信号に変換する変換部と、上記変換部で変換された音声信号を音声に変換するスピーカと、上記指向性アンテナの水平方向の角度を調整する調整部とを具備し、上記スピーカからの音声に基づいて、上記調整部により指向性アンテナが角度調整される構成としてある。
【００１５】
無線ＬＡＮ指向性アンテナの角度調整装置をこのような構成とすると、無線ＬＡＮ指向性アンテナで受信した受信信号から検出部により電界強度を検出して、変換部によりこの電界強度に対応する周波数の音声信号に変換して、この音声信号をスピーカから音声として発生させる。これにより、作業者は、スピーカからの音声を聴きながら、調整部により無線ＬＡＮ指向性アンテナの角度調整を行なうことにより、スピーカからの音声が最も高い音程または最も低い音程になったところで、角度調整を終了する。これにより、無線ＬＡＮ指向性アンテナは、最も電界強度の高い角度、即ち対向側のアンテナに対して指向性を有する角度に設定されるので、アンテナの正確な角度調整が行なわれることになる。
【００１６】
したがって、この構成によれば、スピーカからの音声の音程が電界強度を表わすことになるので、作業者は、従来のように受信レベルを目視しながらアンテナの角度調整を行なう必要がなく、スピーカからの音声を耳で聴きながら、調整部によりアンテナの角度を調整することにより、容易にアンテナの角度調整作業を行なうことができる。
また、指向性アンテナ自体には角度調整のための装置を取り付ける必要がないので、簡単な構成により、また指向性アンテナ自体が高所等に設置される場合でも、容易に、しかも短時間でアンテナの角度調整を行なうことができる。
【００１７】
請求項２記載の無線ＬＡＮ指向性アンテナの角度調整装置は、上記検出部が、無線ＬＡＮのＲＳＳＩ出力からの出力電圧を検出する構成としてある。
無線ＬＡＮ指向性アンテナの角度調整装置をこのような構成とすると、無線ＬＡＮ指向性アンテナにより受信された受信信号の電界強度として、無線ＬＡＮのＲＳＳＩ出力からの出力電圧を検出することができる。
【００１８】
請求項３記載の無線ＬＡＮ指向性アンテナの角度調整装置は、上記検出部が、ＩＳＭバンドＲＦレベルメータであって、電界強度を検出することにより、電界強度計信号を出力する構成としてある。
無線ＬＡＮ指向性アンテナの角度調整装置をこのような構成とすると、無線ＬＡＮ指向性アンテナにより受信された受信信号の電界強度として、ＩＳＭバンドＲＦレベルメータの電界強度計信号を検出することができる。
【００１９】
請求項４記載の無線ＬＡＮ指向性アンテナの角度調整装置は、上記変換部が、上記検出部からの検出信号に基づいて、Ｖ／Ｆ変換を行なうことにより、音声信号を生成する構成としてある。
無線ＬＡＮ指向性アンテナの角度調整装置をこのような構成とすると、変換部が検出部からの検出信号に基づいて、Ｖ／Ｆ変換によって、容易に電界強度に対応する周波数の音声信号を生成することができる。
【００２０】
請求項５記載の無線ＬＡＮ指向性アンテナの角度調整装置は、上記変換部が、検出部からの検出信号の電圧が高くなるにつれて高い周波数の音声信号を生成する構成としてある。
無線ＬＡＮ指向性アンテナの角度調整装置をこのような構成とすると、電界強度が最も高いとき、最も高い音程の音声がスピーカから発せられることになる。
【００２１】
請求項６記載の無線ＬＡＮ指向性アンテナの角度調整装置は、上記変換部が、検出部からの検出信号の電圧が高くなるにつれて低い周波数の音声信号を生成する構成としてある。
無線ＬＡＮ指向性アンテナの角度調整装置をこのような構成とすると、電界強度が最も高いとき、最も低い音程の音声がスピーカから発せられることになる。
【００２２】
また、上記目的を達成するため、本発明の請求項７記載の無線ＬＡＮ指向性アンテナの角度調整方法によれば、水平方向に回転可能に支持された無線ＬＡＮ指向性アンテナにより対向側の送信アンテナからの送信信号を受信して、上記指向性アンテナで受信した受信信号から電界強度を検出して、検出した電界強度を、当該電界強度に対応する周波数の音声信号に変換して、この音声信号をスピーカにより音声に変換して、スピーカからの音声に基づいて、この音声の音程が最も高くまたは最も低くなるように、調整部により指向性アンテナの水平方向の角度を調整する構成としてある。
本発明は、このように無線ＬＡＮ指向性アンテナの角度調整方法としても実現化することができる。
【発明の効果】
【００２３】
このようにして、本発明による無線ＬＡＮ指向性アンテナの角度調整装置および調整方法によれば、無線ＬＡＮ指向性アンテナの受信信号による電界強度に対応した周波数の音声信号を発生して、スピーカから音声として発することにより、作業者は、スピーカからの音声の音程を判断しながら、最も高いまたは最も低い音程の音声となるように、調整部により指向性アンテナの角度調整を行なうことによって、簡単な構成により、指向性アンテナの正確で短時間の角度調整が可能になる。
【発明を実施するための最良の形態】
【００２４】
以下、本発明の実施の形態について、図面を参照して説明する。
【実施例】
【００２５】
本発明の無線ＬＡＮ指向性アンテナの角度調整装置の第一の実施形態について、図１を参照して説明する。
図１は、本実施形態の無線ＬＡＮ指向性アンテナの角度調整装置の構成を示すブロック図である。
【００２６】
図１に示すように、無線ＬＡＮ指向性アンテナの角度調整装置１０は、指向性アンテナ１１と、プリアンプ１２と、検出部としてのＲＦレベルメータ１３と、変換部としてのＶ／Ｆ変換器１４と、スピーカアンプ１５と、スピーカ１６と、指向性アンテナ１１の角度調整を行なう調整部２０と、を設けてある。
【００２７】
上記指向性アンテナ１１は、無線ＬＡＮ用の電波を送受信するための指向性アンテナであって、対向側の指向性または無指向性のアンテナ（図示せず）との間で無線ＬＡＮのビーコン電波を送受信するようになっている。
この指向性アンテナ１１は、図示の場合、八木アンテナとして構成されていて、垂直な支柱１１ａの上部に取り付けられており、上記調整部２０（後述）により、垂直軸の周りに回転することにより、所望の方向に向かって角度調整されるようになっている。
さらに、上記指向性アンテナ１１は、その受信信号が同軸ケーブル１１ｂを介してコネクタ１７に接続されており、このコネクタ１７は、前述したプリアンプ１２の入力に接続されている。
【００２８】
上記プリアンプ１２は、指向性アンテナ１１から同軸ケーブル１１ｂおよびコネクタ１７を介して入力される受信信号を増幅して、ＲＦレベルメータ１３に入力するようになっている。
上記ＲＦレベルメータ１３は、無線ＬＡＮにおけるＩＳＭバンドＲＦレベルメータであって、受信信号の電界強度に対応する電圧の電界強度計信号を出力するようになっている。
【００２９】
上記Ｖ／Ｆ変換器１４は、ＲＦレベルメータ１３からの電界強度計信号の電圧を周波数に変換して、この周波数の音声信号を発生させるようになっている。
ここで、Ｖ／Ｆ変換器１４は、電界強度計信号の電圧が高くなるほど、高い周波数の音声信号を発生させるようになっている。
【００３０】
上記スピーカアンプ１５は、Ｖ／Ｆ変換器１４からの音声信号を増幅して、スピーカ１６を駆動する。これにより、スピーカ１６からは、当該周波数の音声信号に基づいて音声が発せられることになる。
【００３１】
したがって、指向性アンテナ１１による受信信号における電界強度に対応した周波数の音声がスピーカ１６から発せられ、その音声は、電界強度が強いほど高い音程の音声になる。
【００３２】
上記調整部２０は、指向性アンテナ１１を支持する支柱１１ａを垂直軸の周りに回転駆動することにより、指向性アンテナ１１の角度調整を行なって、指向性アンテナ１１の方向を設定するようになっている。
【００３３】
次に、本実施形態の無線ＬＡＮ指向性アンテナの角度調整装置の動作について、図２のタイムチャートを参照して説明する。
尚、無線ＬＡＮの電波を送信する対向側においては、図３に示すように、無線ＬＡＮ３０は、端末３１により操作されることにより、指向性アンテナ３２により無線ＬＡＮのビーコン電波を送信するようになっている。
そして、指向性アンテナ１１の角度調整を行なう場合には、対向側にて指向性アンテナ３２から無線ＬＡＮのビーコン電波を送信する。
【００３４】
図２において、ステップＡ１にて、指向性アンテナ１１により対向側から送信されてくる無線ＬＡＮのビーコン電波を受信する。
これにより、ステップＡ２にて、指向性アンテナ１１の受信信号がプリアンプ１２で増幅され、続いてステップＡ３にて、この増幅された受信信号に基づいて、ＲＦレベルメータ１３が、電界強度に対応する電界強度計信号をＶ／Ｆ変換器１４に出力する。
【００３５】
次に、ステップＡ４にて、Ｖ／Ｆ変換器１４が、ＲＦレベルメータ１３からの電界強度計信号に基づいて、電界強度計信号に対応する周波数の音声信号を生成して、スピーカアンプ１５に出力する。
これにより、ステップＡ５にて、スピーカアンプ１５は、Ｖ／Ｆ変換器１４からの音声信号に基づいて、スピーカ１６を駆動して、当該周波数の音声を発生させる。
【００３６】
これを受けて、作業者は、ステップＡ６にて、スピーカ１６からの音声を聴きながら、調整部２０を操作することにより、指向性アンテナ１１を垂直軸の周りに回転駆動する。
その際、指向性アンテナ１１による受信信号の電界強度が指向性アンテナ１１の指向性に基づいて変化することになるので、この電界強度の変化に対応して、スピーカ１６から発せられる音声の周波数が変化することになり、音声の音程が変わる。
【００３７】
そして、この場合、Ｖ／Ｆ変換器１４により変換される音声の周波数は、指向性アンテナ１１による受信信号の電界強度が高くなるほど高くなるように設定されていることから、指向性アンテナ１１は、当該指向性アンテナ１１の指向性に基づいて、対向側の指向性アンテナ３２に向くほど、電界強度が高くなり、スピーカ１６からの音声の音程が高くなる。
【００３８】
したがって、作業者は、ステップＡ７にて、スピーカ１６から発せられる音声の音程が最も高くなるように、調整部２０により指向性アンテナ１１の角度調整を行なう。そして、スピーカ１６から発せられる音声の音程が最も高くなったところで、指向性アンテナ１１を固定して、その角度を固定する。
これにより、当該指向性アンテナ１１は、その電界強度が最も高くなるように対向側の指向性アンテナ３２に向いて角度調整され、方向が設定されることになる。
【００３９】
その際、作業者は、ＲＦレベルメータ１３を目視することなく、スピーカ１６から発せられる音声の音程を聴くだけで、指向性アンテナ１１の角度調整を行なうことができるので、指向性アンテナ１１を見ながら作業を行なうことができ、簡単な作業によって、容易に、そして正確に指向性アンテナ１１の角度調整を行なうことができる。
【００４０】
このようにして、例えば指向性アンテナ１１が高所等に設置されている場合、指向性アンテナ１１の角度調整を短時間に行なうことによって、高所作業における安全性が高められ得ることとなる。
【００４１】
また、上記無線ＬＡＮ指向性アンテナの角度調整装置１０によれば、指向性アンテナ１１自体には何ら装置等を取り付ける必要がないので、指向性アンテナ１１が高所等に配置されている場合であっても、指向性アンテナ１１の角度調整を容易に短時間で行なうことができる。
【産業上の利用可能性】
【００４２】
上述した実施形態においては、Ｖ／Ｆ変換器１４は、電界強度が高くなるほど高い周波数の音声信号を生成するようになっているが、これに限らず、Ｖ／Ｆ変換器１４が電界強度が高くなるほど低い周波数の音声信号を生成するようにしてもよい。この場合、指向性アンテナ１１の角度調整の際に、作業者は、スピーカ１６からの音声が最も低い音程になるように、調整部２０により指向性アンテナ１１の角度調整を行なうようにすればよい。
【００４３】
また、上述した実施形態においては、検出部としてＩＳＭバンドＲＦレベルメータすなわちＲＦレベルメータ１３が使用されているが、これに限らず、無線ＬＡＮのＲＳＳＩ出力からの出力電圧を検出する検出部を備えるようにしてもよい。
【００４４】
さらに、上述した実施形態においては、指向性アンテナ１１からの受信信号がプリアンプ１２で増幅された後、ＲＦレベルメータ１３に入力されるようになっているが、これに限らず、プリアンプ１２が省略されてもよい。
また、上述した実施形態においては、Ｖ／Ｆ変換器１４からの音声信号がスピーカアンプ１５で増幅された後、スピーカ１６に入力されるようになっているが、これに限らず、スピーカアンプ１５が省略されて、Ｖ／Ｆ変換器１４からの音声信号が直接にスピーカ１６に入力されてもよい。
【００４５】
このようにして、本発明によれば、簡単な構成により、容易にアンテナの角度調整を行なうことができるようにした無線ＬＡＮ指向性アンテナの角度調整装置および調整方法を提供することができる。
【図面の簡単な説明】
【００４６】
【図１】本発明による無線ＬＡＮ指向性アンテナの角度調整装置の一実施形態の構成を示すブロック図である。
【図２】本発明による無線ＬＡＮ指向性アンテナの角度調整方法によるアンテナ角度調整作業を示すフローチャートである。
【図３】図１に示した無線ＬＡＮ指向性アンテナの角度調整装置の対向側からの無線ＬＡＮのビーコン電波によるアンテナ角度調整状態を示すブロック図である。
【符号の説明】
【００４７】
１０  無線ＬＡＮ指向性アンテナの角度調整装置
１１  指向性アンテナ
１１ａ  支柱
１１ｂ  同軸ケーブル
１２  プリアンプ
１３  ＲＦレベルメータ
１４  Ｖ／Ｆ変換器
１５  スピーカアンプ
１６  スピーカ
１７  コネクタ
２０  調整部
３０  無線ＬＡＮ３０（対向側）
３１  端末
３２  指向性アンテナ（対向側）
【図１】
2005102013.tif 000003
【図２】
2005102013.tif 000004
【図３】
2005102013.tif 000005